(57)【要約】【課題】  店舗においてユーザによるカードの購入方法の容易化、及び、店員によるカードの販売の容易化を図ることにより、カード販売の促進を図ること。【解決手段】  販売用カード２の複写物１と、当該複写物１を展示する展示具３と、を備え、複写物１に、当該複写物１に対応する販売用カード２の在庫の保管場所を特定する保管場所情報を記載した。【選択図】図１
2007020974.tif 000002
【特許請求の範囲】
【請求項１】
販売用カードの複写物と、当該複写物を展示する展示具と、を備え、
前記複写物に、当該複写物に対応する前記販売用カードの在庫の保管場所を特定する保管場所情報を記載した、
ことを特徴とするカード販売具。
【請求項２】
販売用カードの複写物と、当該複写物を展示する持ち運び可能な展示具と、を備え、
前記展示具に展示されている前記複写物の近辺に、当該複写物に対応する前記販売用カードの在庫の保管場所を特定する保管場所情報を記載した、
ことを特徴とするカード販売具。
【請求項３】
前記展示具を、立設された壁面部材にて形成すると共に、この壁面部分に前記複写物を展示する、ことを特徴とする請求項１記載のカード販売具。
【請求項４】
前記販売用カードを、当該販売用カードに対応する前記複写物に記載された前記保管場所情報に基づいて配列して収容された収容ファイルを設けた、ことを特徴とする請求項３記載のカード販売具。
【請求項５】
前記展示具を、前記複写物を配列して収容する展示用ファイルにて形成した、ことを特徴とする請求項１又は２記載のカード販売具。
【請求項６】
前記展示用ファイルに収容されている前記複写物に対応する前記販売用カードを当該複写物と同一の配列にて収容した収容ファイルを設けた、ことを特徴とする請求項５記載のカード販売具。
【請求項７】
前記展示具に、前記複写物に対応する前記販売用カードの在庫枚数に応じた数の当該複写物を展示する、ことを特徴とする請求項１，２，３，４，５又は６記載のカード販売具。
【請求項８】
前記展示具に、前記複写物に対応する前記販売用カードの在庫の有無にかかわらず当該複写物を展示する、ことを特徴とする請求項１，２，３，４，５，６又は７記載のカード販売具。
【発明の詳細な説明】
【技術分野】
【０００１】
本発明は、カード販売具にかかり、特に、店舗にてカードを展示して販売する際に用いるカード販売具に関する。
【背景技術】
【０００２】
近年、キャラクター自体やそのキャラクターに関する情報など、種々の情報が描画されたトレーディングカードと呼ばれるカードが販売されている。そして、トレーディングカードには多くの種類が存在し、ユーザにてそれぞれの目的に応じて収集される。収集されたトレーディングカードは、ユーザが単に収集して楽しんだり、ユーザ同士がカードを用いてゲームを行うなど、種々の用途に利用される。
【０００３】
そして、トレーディングカードは、一般的には複数枚（例えば、５枚）が包装袋に入れられて、中身のカードがわからないよう販売されている（下記の特許文献１参照）。一方で、特定のカードが単品で販売されている場合もあり、ユーザは自己の希望するカードを選択して購入することができる。かかる場合には、個々のカード毎にカードの価値に応じた相当の値段が付けられて販売されている。このようなカードを単品にて販売する方法の一例を、図７を参照して説明する。
【０００４】
まず、図７（ａ）に示すように、店舗には内部が見える透明なガラスなどで覆われたショーケース１００が展示され、その中に設置された台１０１に販売用のトレーディングカードＣが展示される。これは、トレーディングカードＣそのものが盗難にあうことを防止するためである。そして、展示されているトレーディングカードＣには、当該カードの名前などカードを特定する情報が付されており、カードの購入を希望するユーザは、購入用の用紙にカードを特定する情報を記載して、店員に通知する。また、店舗側には、販売するカードの在庫が、例えば、図７（ｂ）に示すように所定の箱２００に収容されている。この箱２００の中から一枚一枚カードＣを取り出して、ユーザにて希望されたカードＣを探し出し、ユーザに販売する。
【０００５】
【特許文献１】実用新案登録第３０８０６２６号公報
【発明の開示】
【発明が解決しようとする課題】
【０００６】
しかしながら、上記従来例に示したトレーディングカードの販売方法では、以下のような不都合があった。まず、ショーケース内にカードを展示するため、かかるショーケースを設置するための広い場所を確保しなければならず、店舗スペースを有効に活用することができない、という問題が生じていた。
【０００７】
また、ショーケース内に展示できるカード数には限りがあるため、多種のカードを購入するユーザにとっては展示されているカードでは選択幅が狭く物足りない、という不都合があった。一方で、多種のカードを購入する際には、購入用の用紙にすべての購入を希望するカードの特定情報を記入しなければならず、その手間がかかり大量購入が困難である、という問題があった。また、このようなカード特定情報を購入用の用紙に記載する、という購入方法では、初めて購入するユーザには「買い方」そのものが分かりにくく、当該ユーザにとって不便であり、また、購入機会を逃しかねない、という問題も生じていた。
【０００８】
さらには、ショーケースには販売しているカードのみが展示されているため、在庫の無いカードの存在自体をユーザが知ることができず、販売促進を図ることができない、という問題が生じていた。
【０００９】
このため、本発明では、上記従来例の有する不都合を改善し、特に、店舗においてユーザによるカードの購入方法の容易化、及び、店員によるカードの販売の容易化を図ることにより、カード販売の促進を図ることができるカード販売具を提供すること、をその目的とする。
【課題を解決するための手段】
【００１０】
そこで、本発明の一形態であるカード販売具は、
販売用カードの複写物と、当該複写物を展示する展示具と、を備え、
複写物に、当該複写物に対応する販売用カードの在庫の保管場所を特定する保管場所情報を記載した、
ことを特徴としている。
【００１１】
また、カード販売具の他の形態は、
販売用カードの複写物と、当該複写物を展示する持ち運び可能な展示具と、を備え、
展示具に展示されている複写物の近辺に、当該複写物に対応する販売用カードの在庫の保管場所を特定する保管場所情報を記載した、
ことを特徴としている。
【００１２】
これにより、購入者は、まず、購入を希望するカードの複写物を展示具から取り出して店員に提示する。あるいは、展示具自体を持ち運んでかかる展示具上において購入を希望するカードを店員に対して提示する。すると、店員は、提示されたカードに記載された保管場所情報、あるいは、展示具に記載されたカードの保管場所情報を知ることができ、かかる情報に基づいてカードの在庫を容易に見つけ出すことができる。これにより、購入者によるカード購入方法が容易になると共に、店員によるカードの検索作業も容易となり、カード販売の効率化を図ることができる。また、カードの複写物を展示しているため、販売用のカードが盗まれることを抑制することができる。さらに、これに伴い、カードをショーケースに展示する必要が無く、販売スペースの縮小化を図ることができ、より多くのカードを展示することができる。
【００１３】
また、展示具を、立設された壁面部材にて形成すると共に、この壁面部分に複写物を展示する、ことを特徴としている。これにより、購入者は壁面部材に展示された複数のカードをまとめて閲覧することができ、購入カードの選択が容易になると共に、展示スペースの縮小化を図ることができる。
【００１４】
さらに、販売用カードを、当該販売用カードに対応する複写物に記載された保管場所情報に基づいて配列して収容された収容ファイルを設けた、ことを特徴としている。これにより、販売用カードは保管場所情報に基づいて収容ファイルに収容されているため、店員は、保管場所情報を参照することにより容易に販売用カードを検索することができる。従って、カード販売の迅速化を図ることができる。
【００１５】
また、展示具を、複写物を配列して収容する展示用ファイルにて形成した、ことを特徴としている。このとき、展示用ファイルに収容されている複写物に対応する販売用カードを当該複写物と同一の配列にて収容した収容ファイルを設けた、ことを特徴としている。これにより、購入者は展示用ファイルを持ち運んで店員に購入を希望するカードを指定することでカードを購入することができ、購入方法の容易化を図ることができると共に、さらなる展示スペースの縮小化を図ることができる。また、店員は、展示用ファイルと収容ファイルを照らし合わせることにより、容易に購入者が希望する販売用カードを取り出すことができ、さらなるカード販売の迅速化を図ることができる。
【００１６】
また、展示具に、複写物に対応する販売用カードの在庫枚数に応じた数の当該複写物を展示する、ことを特徴としている。さらに、展示具に、複写物に対応する販売用カードの在庫の有無にかかわらず当該複写物を展示する、ことを特徴としている。これにより、在庫の数だけ複写物が展示されているため、購入者は容易に在庫の有無を確認することができる。また、常時、カードの複写物が展示されているため、カードの在庫が無く当該カードを購入できない場合であっても、購入者はカードの存在を知ることができる。従って、ユーザは店舗においてカード選択を楽しむことができると共に、店舗としてはカードに対する知識を提供することができ、カード販売の促進を図ることができる。
【発明の効果】
【００１７】
本発明は、以上のように構成され機能するので、これによると、購入者によるカード購入方法の容易化を図ることができると共に、店員によるカードの取り出し作業も容易となり、カード販売の効率化を図ることができる。さらには、販売用のカードが盗まれることを抑制することができると共に、販売スペースの縮小化を図ることができる、という従来にない優れた効果を有する。
【発明を実施するための最良の形態】
【００１８】
本発明は、販売用カードの複写物を展示し、その在庫の保管場所情報を、複写物自体、あるいは、持ち運び可能な展示具、に掲載することを特徴としている。以下、実施例にて、カード販売具の具体例を説明する。なお、販売するカードの一例としてトレーディングカードを例示するが、かかるカードに限定されず、他のカードを販売するために用いてもよい。
【実施例１】
【００１９】
本発明の第１の実施例を、図１乃至図５を参照して説明する。図１は、販売用カードの複写物の構成を示す図である。図２は、展示具の構成を示す図であり、図３はその部分拡大図を示す。図４は、展示具の一例を示す写真である。図５は、販売用カードを収容するファイルの構成を示す図である。
【００２０】
［構成］
本実施例におけるカード販売具は、トレーディングカード２（販売用カード）の複写物である複写カード１と、これを展示する展示具である壁面部材３と、を備えている。また、実際に販売する上記トレーディングカード２を収容する収容ファイル４を備えている。以下、各構成について詳述する。
【００２１】
＜トレーディングカード＞
トレーディングカード２は、人物やキャラクター、これらに関する情報などが記載されたカードであり、観賞用に収集されたり、あるいは、ゲームに利用される。本実施例では、１枚ごとに単独で販売される場合を例示するが、トレーディングカード２の在庫は、同一種類ごとに後述する収容ファイル４に収容されて保管される。
【００２２】
＜複写カード＞
複写カード１は、上記トレーディングカード２を複写した紙媒体である。この複写カード１の表面１Ａには、図１（ａ）に示すように、キャラクターなどが映し出されている面であるトレーディングカード２のメインと成るが複写されている。また、その裏面には、この複写カード１に対応する元となるトレーディングカード２の在庫の保管場所を特定する保管場所情報が記載されている。図１（ｂ）に複写カード１の裏面の一例を示す。ここでは、トレーディングカード２が保管されている収容ファイル４の「ファイル名」「ページ番号」「カード番号」が保管場所情報として記載されている。そして、具体的には、収容ファイル４のうち、「ファイルＢ」の「１０ページ」の「カード番号５」の箇所に収容されているトレーディングカード２が、この複写カード１に対応する販売用のトレーディングカード２であることを示している。
【００２３】
ここで、複写カード１は、上述したように形成されていることに限定されない。例えば、まず、紙媒体であることに限定されず、プラスチックなど他の媒体で形成されていてもよい。また、複写カード１の裏面には、トレーディングカード２のサブとなる面が複写されていてもよい。さらに、保管場所情報は、複写カード１の裏面に記載されていることに限定されず、いかなる場所に記載されていてもよく、また、かかる情報が記載されたシールなどが複写カード１に貼付されていてもよい。すなわち、本発明においては、保管場所情報が任意の手法により複写カード１に付されていれば、当該複写カード１に記載されていることと同義である。
【００２４】
＜壁面部材＞
壁面部材３は、図２に示すように、トレーディングカード２を販売する店内の床Ｘと天井Ｙの間に立設され、壁面を形成する部材である。そして、その壁面部分に、複写カード１を展示する。ここで、複写カード１の展示状態を図２乃至図３を参照して詳述する。なお、図３は、壁面部材３の部分拡大図である。
【００２５】
まず、壁面には、図２に示すように、複数の複写カード１が一面に貼り付けられている。そして、この貼り付けられた複写カード１は、販売可能なトレーディングカード２の在庫が無い種類のものであっても、常時展示されている。例えば、トレーディングカード２全種類の複写カード１が展示されている。
【００２６】
さらに、壁面に対して一面に貼り付けられた各複写カード１毎に、その前面に、図３（ａ）に示すように、透明のビニール素材などでポケット３１が形成されている。そして、このポケット３１には、図３（ｂ）に示すように、貼り付けられている複写カード１と同一の複写カード１が収容されている。このとき、複写カード１に対応するトレーディングカード２の販売可能な在庫枚数に応じた枚数だけ、複写カード１がポケット３１に収容される。但し、必ずしも複写カード１を在庫数だけポケット３１に収容されることに限定されない。所定枚数の複写カード１を使用される毎にポケット３１に戻して収容し、繰り返し使用してもよい。従って、少なくとも１枚の複写カード１が壁面部材３から取り出し可能なよう展示されていればよい。
【００２７】
なお、上記壁面部材３は、必ずしも床Ｘと天井Ｙの間に立設され、床面Ｘに対してほぼ垂直な壁面を形成する部材であることに限定されない。例えば、立て看板のように床面Ｘに対して斜めに立てられた状態で展示面を形成する部材であってもよい。
【００２８】
ここで、図４に、図２に示した壁面部材３を用いて展示具を構成し、実際に複写カードを展示した一例の写真を示す。このように、壁面部材３に複写カードが敷き詰められて展示される。
【００２９】
＜収容ファイル＞
収容ファイル４は、店舗側に保管され、トレーディングカード２の在庫を収容可能なファイルである。例えば、図５（ａ）に示すように、ファイル毎にファイル名（Ａ，Ｂ，Ｃなど）が付されて記載された状態で、店舗側に保管されている。
【００３０】
また、図５（ｂ）に示すように、収容ファイル４の各ページには「ページ番号」が付されている。そして、各ページには、トレーディングカード２を保管するためのポケット４１が形成されており、各ポケット４１には「番号」が付されている。そして、上述したように、複写カード１に記載された保管場所情報である「ファイル名」「ページ番号」「カード番号」と一致するポケット４１に、当該複写カード１に対応するトレーディングカード２の在庫が収容されている。例えば、図５（ｂ）の例では、図示されている収容ファイル４がファイル名「Ａ」であるとすると、当該ファイルＡの５ページのカード番号１番に相当するトレーディングカード２の在庫は２枚であり、３番に相当するトレーディングカード２の在庫は０枚ということになる。
【００３１】
ここで、収容ファイル４に収容されるトレーディングカード２の配置は、上記配置であることに限定されない。少なくとも複写カード１に付された保管場所情報に対応した配列に配置され、店員が容易に複写カード１に対応するトレーディングカード２を見つけ出せる配置であればよい。
【００３２】
［動作］
次に、上記カード販売具が設置された店舗において、トレーディングカード２を購入する動作を説明する。まず、購入者となりうるユーザは、店内に設置された壁面部材３に展示された複写カード１を閲覧し、購入するカードを選択する。そして、選択した複写カード１を壁面部材３のポケット３１から取り出し、これを店員に渡す。このとき、複写カード１がポケット３１に無い場合には、販売可能なトレーディングカード２の在庫が無いことを示しており、ユーザはかかるカードを購入できないことを認識することができる。但し、そのカードが壁面部材３に貼り付けられているため、ユーザはかかるカードの存在を知ることができる。そして、このような展示に基づいて、店員がカードに関する知識をユーザに提供することもでき、カード販売の促進を図ることができる。
【００３３】
続いて、ユーザから複写カード１を受け取った店員は、当該複写カード１に記載されている保管場所情報を読み取り、対応する収容ファイル４を取り出す。そして、この収容ファイル４内の対応するページのカード番号のポケット４１に収容されているトレーディングカード２を取り出し、ユーザに販売する。
【００３４】
このようにすることにより、ユーザは、展示されている複写カード１を取り出して店員に提示することにより、対応するトレーディングカード２を購入することができるため、多数あるカードの中から希望するものを容易に購入することができる。また、店員も、ユーザから渡された複写カード１から保管場所情報を知ることができ、かかる情報に基づいてカードの在庫を容易に見つけ出すことができる。従って、カード販売の効率化を図ることができる。
【００３５】
また、トレーディングカード２の複写物を展示しているため、販売用のトレーディングカード２が盗まれることを抑制することができる。さらに、壁面部材３に複写カード１を展示しているため、展示スペースの縮小化を図ることができ、同時に、ユーザは、展示された複数のカードをまとめて閲覧することができ、購入カードの選択が容易になる。
【実施例２】
【００３６】
次に、本発明の第２の実施例について、図６を参照して説明する。図６は、本実施例におけるカード販売具の構成を示す図である。
【００３７】
［構成］
本実施例におけるカード販売具は、上述した実施例１と同様に、トレーディングカード２の複写カード１と、これをユーザに対して展示する展示具５と、を備えている点で同様の構成を採っている。但し、展示具５が持ち運び可能な展示ファイル５（展示用ファイル）にて構成されている点で異なる。以下、相違点を中心に説明する。
【００３８】
具体的に、上記展示ファイル５の構成を図６（ａ）に示す。まず、展示ファイル５にはそれぞれファイル名が付されており、各ページに複数の複写カード１が展示されている。このとき、展示されている複写カード１には、それぞれページごとにカード番号が付されており、各ページのカード近辺に、あるいは、複写カード１自体にそれぞれ記載されている。このように、複写カード１には、ファイル名とページ番号とカード番号とにより構成される保管場所情報が付されており、かかる情報に基づいて、複写カード１に対応するトレーディングカード２を特定することができる。そして、例えば、図６（ａ）に示すように、複数の複写カード１が展示ファイル５の各ページに貼り付けられている。但し、複写カード１は、展示ファイル５の各ページに貼り付けられていることに限定されない。例えば、実施例１の壁面部材３での展示状態と同様に、展示ファイル５の各ページにポケットが形成されていて、かかるポケットに複写カード１が収容されていてもよい。このとき、複写カード１に保管場所情報が記載されていると望ましい。
【００３９】
また、上記複写カード１に対応する販売用のトレーディングカード２の在庫は、上記実施例１と同様に、図６（ｂ）に示す収容ファイル４に保管されている。そして、展示ファイル５中の複写カード１に対応するトレーディングカード２は、当該複写カード１に付されている「ファイル名」「ページ数」「カード番号」にて特定される収容ファイル４の同一箇所に保管されている。このとき、収容ファイル４内におけるトレーディングカード２の配置は、展示ファイル５における複写カード１の配置と一致している。つまり、展示ファイル５と収容ファイル４とにおけるカード配置が同一に形成されている。
【００４０】
［動作］
次に、上記カード販売具が設置された店舗において、トレーディングカード２を購入する動作を説明する。まず、購入者となりうるユーザは、店内に用意された展示ファイル５を開いて複写カード１を閲覧し、購入するカードを選択する。そして、展示ファイル５を店員のところに持ち運び、選択した複写カード１を店員に対して指し示す。
【００４１】
すると、複写カード１の指定を受けた店員は、かかる複写カード１が展示されている展示ファイル５と同一名の収容ファイル４を取り出し、展示ファイル５と同一のページ、同一のカード番号の箇所を検索する。そして、かかる箇所に存在するトレーディングカード２を取り出し、ユーザに販売する。
【００４２】
このようにすることにより、ユーザは、まず、展示ファイル５を閲覧してカードを選ぶことができ、その展示ファイル５を提示して購入を希望するカードを店員に通知することで、容易にカードを購入することができる。また、店員は、展示ファイル５と収容ファイル４を対照させることで、購入希望のトレーディングカード２を容易に見つけ出すことができ、カード販売の迅速化を図ることができる。
【００４３】
また、複写カード１を展示しているため、販売用のトレーディングカード２が盗まれることを抑制することができる。さらに、展示ファイル５といった小スペースにて多数のカードを展示することができる。
【００４４】
なお、トレーディングカード２の在庫が無い場合であっても、複写カード１が展示ファイル５に展示されているため、ユーザはかかるカードの存在を知ることができる。すなわち、店舗側としては、カードに関する情報を提供することができ、カード販売の促進を図ることができる。
【産業上の利用可能性】
【００４５】
本発明は、トレーディングカードなどの各種カードを販売する際に用いる販売具として、店舗に配置することができ、産業上の利用可能性を有する。
【図面の簡単な説明】
【００４６】
【図１】複写カードの構成を示す図であり、図１（ａ）は表面を、図１（ｂ）は裏面を示す図である。
【図２】複写カードを展示する壁面部材の構成を示す図である。
【図３】図３（ａ），（ｂ）は、それぞれ壁面部材の一部を示す拡大図である。
【図４】複写カードの展示の様子を示す写真である。
【図５】図５（ａ）は、収容ファイルの外観を示す図であり、図５（ｂ）は、収容ファイルの中身を示す図である。
【図６】実施例２における展示ファイルと収容ファイルの構成を示す図である。図６（ａ）は、展示ファイルの中身を示す図であり、図６（ｂ）は、収容ファイルの中身を示す図である。
【図７】従来例におけるカード販売具の構成を示す図である。図７（ａ）は、カードが配置されたショーケースを示す図であり、図７（ｂ）はカードの在庫が収容された箱を示す図である。
【符号の説明】
【００４７】
１  複写カード（販売用カードの複写物）
２  トレーディングカード（販売用カード）
３  壁面部材（展示具）
４  収容ファイル
５  展示ファイル（展示用ファイル、展示具）
３１  壁面部材に形成されたポケット
４１  収容ファイルに形成されたポケット
１００  ショーケース
１０１  台
２００  箱
１Ａ  複写カードの表面
１Ｂ  複写カードの裏面
Ｃ  カード
【図１】
2007020974.tif 000003
【図２】
2007020974.tif 000004
【図３】
2007020974.tif 000005
【図５】
2007020974.tif 000006
【図６】
2007020974.tif 000007
【図７】
2007020974.tif 000008
【図４】
2007020974.tif 000009